【手続補正書】
【提出日】令和2年1月14日(2020.1.14)
【手続補正１】
【補正対象書類名】明細書
【補正対象項目名】発明の名称
【補正方法】変更
【補正の内容】
【発明の名称】気象現象発生可能性判定システムおよび気象現象発生可能性有無判定方法
【手続補正２】
【補正対象書類名】明細書
【補正対象項目名】０００１
【補正方法】変更
【補正の内容】
【０００１】
本発明の実施形態は、気象現象の発生可能性を判定するための気象現象発生可能性有無判定システムおよび気象現象発生可能性有無判定方法に関する。
【手続補正３】
【補正対象書類名】明細書
【補正対象項目名】０００８
【補正方法】変更
【補正の内容】
【０００８】
この発明は上記事情に着目してなされたもので、その目的とするところは、気象現象の解析に必要な一組の３次元データを、短時間で取得することによって、竜巻のような極短時間で発生する顕著気象現象であっても、高い確度で予測することを可能にした気象現象発生可能性有無判定システムおよび気象現象発生可能性有無判定方法を提供することにある。
【手続補正４】
【補正対象書類名】明細書
【補正対象項目名】０００９
【補正方法】変更
【補正の内容】
【０００９】
実施形態の気象現象発生可能性有無判定システムは、レーダを用いて、気象現象が発生する可能性の有無を判定する気象現象発生可能性判定システムであって、取得手段と、解析手段と、判定手段とを備えることを特徴とする。取得手段は、レーダを用いて、上空へ向けてレーダ波を照射し、レーダ波が雲を構成する粒子で反射または散乱してなる反射波または散乱波を受け取り、反射波または散乱波から、気象現象の予測に必要な一連の３次元データを、気象現象の発生に要する時間よりも短い時間内に繰り返し取得する。解析手段は、繰り返し取得される各３次元データから、気象現象に関するパラメータの特異的な時間変化を検出するための解析を行う。判定手段は、解析の結果に基づき、特異的な時間変化が検出された場合、気象現象が発生する可能性の有無を判定する。
【手続補正５】
【補正対象書類名】明細書
【補正対象項目名】００２５
【補正方法】変更
【補正の内容】
【００２５】
通信Ｉ／Ｆ１１は、レーダ信号処理部９と通信するためのインターフェースであり、例えば、レーダ信号処理部９から繰り返し取得される信号処理結果ａ０を、信号処理結果ｂ０としてＲＡＷデータ処理部１２に出力する。
【手続補正６】
【補正対象書類名】明細書
【補正対象項目名】００４５
【補正方法】変更
【補正の内容】
【００４５】
パラメータ解析部３２は、竜巻予測パラメータＡ，Ｂ，Ｃ，Ｄ，Ｅを解析する。具体的には、取得部９ａによって繰り返し取得された各３次元データから、竜巻予測パラメータＡ，Ｂ，Ｃ，Ｄ，Ｅの特異的な時間変化を検出するための解析を行う。例えば、竜巻予測パラメータＡ，Ｂ，Ｃ，Ｄ，Ｅの、時間に対する特異的な変曲点を検出する。
【手続補正７】
【補正対象書類名】特許請求の範囲
【補正対象項目名】全文
【補正方法】変更
【補正の内容】
【特許請求の範囲】
【請求項１】
レーダを用いて、気象現象が発生する可能性の有無を判定する気象現象発生可能性有無判定システムであって、
上空へ向けてレーダ波を照射し、前記レーダ波が雲を構成する粒子で反射または散乱してなる反射波または散乱波を受け取り、前記反射波または散乱波から、前記気象現象の予測に必要な一連の３次元データを、前記気象現象の発生に要する時間よりも短い時間内に繰り返し取得する取得手段と、
前記繰り返し取得される各３次元データから、前記気象現象に関するパラメータの特異的な時間変化を検出するための解析を行う解析手段と、
前記解析の結果に基づき、前記特異的な時間変化が検出された場合、前記気象現象が発生する可能性の有無を判定する判定手段と、
を備えることを特徴とする気象現象発生可能性有無判定システム。
【請求項２】
前記レーダは、フェーズドアレイ気象レーダを含むことを特徴とする請求項１記載の気象現象発生可能性有無判定システム。
【請求項３】
前記解析手段は、前記パラメータの時間に対する特異的な変曲点を検出することを特徴とする請求項１または２に記載の気象現象発生可能性有無判定システム。
【請求項４】
前記パラメータは、複数のパラメータを含み、
前記解析手段は、前記複数のパラメータの各々に関して前記特異的な時間変化を検出し、
前記判定手段は、前記解析手段によって前記特異的な時間変化が検出された回数に応じて前記気象現象の発生の可能性の高低を表わすレベルを決定し、前記決定されたレベルに基づいて、前記気象現象の発生の可能性の有無を判定することを特徴とする請求項１乃至３の何れか１項に記載の気象現象発生可能性有無判定システム。
【請求項５】
前記判定手段によって前記気象現象の発生の可能性があると判定された場合、前記気象現象の発生の可能性に関する情報を提示する提示手段をさらに備えることを特徴とする請求項１乃至４の何れか１項に記載の気象現象発生可能性有無判定システム。
【請求項６】
レーダを用いて、気象現象が発生する可能性の有無を判定する気象現象発生可能性有無判定方法であって、
気象現象の発生に関連する範囲をカバーする上空へ向けてレーダ波を照射し、前記レーダ波が雲を構成する粒子で反射または散乱してなる反射波または散乱波を受け取り、前記反射波または散乱波から、前記気象現象の予測に必要な一連の３次元データを、前記気象現象の発生に要する時間よりも短い時間内に繰り返し取得し、
前記繰り返し取得される各３次元データから、前記気象現象に関するパラメータの特異的な時間変化を検出するための解析を行い、
前記解析の結果に基づき、前記特異的な時間変化が検出された場合、前記気象現象が発生する可能性の有無を判定する、
ことを特徴とする気象現象発生可能性有無判定方法。
【請求項７】
前記レーダは、フェーズドアレイ気象レーダを含むことを特徴とする請求項６記載の気象現象発生可能性有無判定方法。
【請求項８】
前記解析を行うことは、前記パラメータの時間に対する特異的な変曲点を検出することを含むことを特徴とする請求項６または７に記載の気象現象発生可能性有無判定方法。
【請求項９】
前記パラメータは、複数のパラメータを含み、
前記解析を行うことは、前記複数のパラメータの各々に関して前記特異的な時間変化を検出することを含み、
前記判定することは、前記特異的な時間変化が検出された回数に応じて前記気象現象の発生の可能性の高低を表わすレベルを決定し、前記決定されたレベルに基づいて、前記気象現象の発生の可能性の有無を判定することを特徴とする請求項６乃至８の何れか１項に記載の気象現象発生可能性有無判定方法。
【請求項１０】
前記気象現象の発生の可能性があると判定された場合、前記気象現象の発生の可能性に関する情報を提示することをさらに含むことを特徴とする請求項６乃至９の何れか１項に記載の気象現象発生可能性有無判定方法。
【請求項１１】
レーダを用いて、気象現象が発生する可能性の有無を判定する気象現象発生可能性有無判定システムであって、
上空へ向けてレーダ波を照射し、前記レーダ波が雲を構成する粒子で反射または散乱してなる反射波または散乱波を受け取り、前記反射波または散乱波から、前記気象現象の予測に必要な一連の３次元データを、全方位に対して前記一連の３次元データを取得する第１のモードまたは前記気象現象の発生に関連する所定の方位に対して前記一連の３次元データを取得する第２のモードで、繰り返し取得する取得手段と、
前記第１のモードまたは前記第２のモードで前記繰り返し取得される各３次元データから、前記気象現象に関するパラメータの特異的な時間変化を検出するための解析を行う解析手段と、
前記解析手段による前記解析の結果に基づき、前記第１のモードで前記特異的な時間変化が検出された場合、前記第１のモードから前記第２のモードに切替える切替手段と、
前記解析手段による前記解析の結果に基づき、前記第１のモードまたは前記第２のモードで前記特異的な時間変化が検出された場合、前記気象現象が発生する可能性の有無を判定する第１の判定手段と、
を備えることを特徴とする気象現象発生可能性有無判定システム。
【請求項１２】
前記レーダは、パラボラ型の気象レーダを含むことを特徴とする請求項１１記載の気象現象発生可能性有無判定システム。
【請求項１３】
前記解析手段による前記解析の結果に基づき、前記第１のモードで前記特異的な時間変化が検出された場合、前記気象現象の発生に要する時間よりも短い時間内に、前記第１のモードで前記一連の３次元データを取得可能か否かを判定する第２の判定手段をさらに備え、
前記切替手段は、前記第２の判定手段によって前記第１のモードで前記一連の３次元データを取得可能ではないと判定された場合、前記第１のモードから前記第２のモードに切替え、前記第２の判定手段によって前記第１のモードで前記一連の３次元データを取得可能であると判定された場合、前記第１のモードから前記第２のモードに切替えることなく、前記第１のモードを維持する、ことを特徴とする請求項１１または１２に記載の気象現象発生可能性有無判定システム。
【請求項１４】
前記切替手段は、前記解析手段による前記解析の結果に基づき、前記第２のモードで前記特異的な時間変化が検出されない場合、前記第２のモードから前記第１のモードに切替える、ことを特徴とする請求項１１乃至１３の何れか１項に記載の気象現象発生可能性有無判定システム。
【請求項１５】
レーダを用いて、気象現象が発生する可能性の有無を判定する気象現象発生可能性有無判定方法であって、
上空へ向けてレーダ波を照射し、前記レーダ波が雲を構成する粒子で反射または散乱してなる反射波または散乱波を受け取り、前記反射波または散乱波から、前記気象現象の予測に必要な一連の３次元データを、全方位に対して前記一連の３次元データを取得する第１のモードまたは前記気象現象の発生に関連する所定の方位に対して前記一連の３次元データを取得する第２のモードで、繰り返し取得し、
前記第１のモードまたは前記第２のモードで前記繰り返し取得される各３次元データから、前記気象現象に関するパラメータの特異的な時間変化を検出するための解析を行い、
前記解析の結果に基づき、前記第１のモードで前記特異的な時間変化が検出された場合、前記第１のモードから前記第２のモードに切替え、
前記解析の結果に基づき、前記第１のモードまたは前記第２のモードで前記特異的な時間変化が検出された場合、前記気象現象が発生する可能性の有無を判定する、
ことを特徴とする気象現象発生可能性有無判定方法。
【請求項１６】
前記解析の結果に基づき、前記第１のモードで前記特異的な時間変化が検出された場合、前記気象現象の発生に要する時間よりも短い時間内に、前記第１のモードで前記一連の３次元データを取得可能か否かを判定することをさらに備え、
前記切替えることは、前記一連の３次元データを取得可能か否かを判定することによって前記第１のモードで前記一連の３次元データを取得可能ではないと判定された場合、前記第１のモードから前記第２のモードに切替え、前記一連の３次元データを取得可能か否かを判定することによって前記第１のモードで前記一連の３次元データを取得可能であると判定された場合、前記第１のモードから前記第２のモードに切替えることなく、前記第１のモードを維持する、ことを特徴とする請求項１５に記載の気象現象発生可能性有無判定方法。
【請求項１７】
前記切替えることは、前記解析の結果に基づき、前記第２のモードで前記特異的な時間変化が検出されない場合、前記第２のモードから前記第１のモードに切替える、ことを特徴とする請求項１５または１６に記載の気象現象発生可能性有無判定方法。